(57)【要約】      （修正有）【課題】往復移動するマッサージ部材を有するマッサージベッドを提供する。【解決手段】矩形枠体であり、長手方向の枠内面に溝１２が形成され、該溝１２内に複数のローラー１３が設けられるメインフレーム１０と、並列に設けられ、前記メインフレーム１０における長手方向の長さより短いサイドフレーム３１と、前記サイドフレーム３１と垂直するように設けられ、前記サイドフレーム３１を貫通して前記ローラー１３と連結するロッドと、前記各ロッドを被包するように設けられるマッサージ用ローラー３３と、前記サイドフレーム３１の両端の下部に固定され、両側のサイドフレーム３１の位置を保持するサイドフレーム保持プレート３４とを含むマッサージ部３０と、前記メインフレーム１０と対応する形状を有し、底面が前記マッサージ用ローラー３３の上面を覆うようにマッサージ部３０の上面に設置されるマットレス４０により構成する。【選択図】図１
0003146403.tif 000002
【実用新案登録請求の範囲】
【請求項１】
矩形枠体であり、長手方向の枠内面に溝（１２）が形成され、該溝（１２）内に複数のローラー（１３）が設けられるメインフレーム（１０）と、
並列に設けられ、前記メインフレーム（１０）における長手方向の長さより短いサイドフレーム（３１）と、前記サイドフレーム（３１）と垂直するように設けられ、前記サイドフレーム（３１）を貫通して前記ローラー（１３）と連結するロッド（３２）と、前記各ロッド（３２）を被包するように設けられるマッサージ用ローラー（３３）と、前記サイドフレーム（３１）の両端の下部に固定され、両側のサイドフレーム（３１）の位置を保持するサイドフレーム保持プレート（３４）とを含むマッサージ部（３０）と、
前記メインフレーム（１０）と対応する形状を有し、底面が前記マッサージ用ローラー（３３）の上面を覆うようにマッサージ部（３０）の上面に設置されるマットレス（４０）と、
を含んでいることを特徴とするマッサージベッド。
【請求項２】
前記マットレス（４０）の上面に置いて使用するものであり、その内部に、ローラ（３３）の曲率と対応するように湾曲する湾曲シート（５１１）、該湾曲シート（５１１）の上面に設けられた支持ポール（５１２）、該支持ポール（５１２）の上端に設置された円形の押し上げプレート（５１３）、該押し上げプレート（５１３）により押し上げられその上に設けられたマッサージブロック（５１４）などが含まれる複数の枕マッサージ部（５１）と、前記湾曲シート（５１１）と前記押し上げプレート（５１３）との間に、前記支持ポール（５１２）が貫通する貫通孔（５２１）を有する仕切り板（５２）とにより形成されるマッサージ枕（５０）を更に含んでいることを特徴とする請求項１に記載のマッサージベッド。
【請求項３】
前記マッサージ部（３０）が、前記サイドフレーム保持プレート（３４）に設けられるステッピングモーターにより駆動されることを特徴とする請求項１または請求項２に記載のマッサージベッド。
【考案の詳細な説明】
【技術分野】
【０００１】
本考案は、マッサージベッドに関し、特に、マットレスの下面に往復移動するマッサージ部材により、使用者をマッサージするマッサージベッドに関するものである。
【背景技術】
【０００２】
日常生活において、ストレスが溜まり易い現代人にとっては、如何にして適切な休憩をとってストレスを解消するかが、重要な課題であり、疲労を回復させるには、心地よい睡眠をとることが最も有効である。故に、近年、良好な睡眠環境を提供できるベッドが人気を集めている。
【考案の開示】
【考案が解決しようとする課題】
【０００３】
特に、疲労しきっている人や、精神が張り詰めた状態の人、長期にわたってプレッシャーを受けて不眠症になった人にとっては、ベッドの重要性がより一層高くなる。しかしながら、一般的なベッドは、単に睡眠場所を提供するだけであり、ストレスの解消や、凝った筋肉の解し、筋肉疲労の回復などの効果を発揮できないので、使用者を容易に寝付かせることができない。
【０００４】
また、病気や怪我などで起き上がれない使用者は、ベッドを使用する時間が、一般の使用者より遥かに長いので、褥瘡（床ずれ）を防止するために、看護者が定時的に使用者の身体の向きを変えさせる必要があった。
【０００５】
上述したように、従来のベッドでは、使用者を容易に寝付かせることができず、褥瘡を防止する手段も備えていないので、更に改良の余地があった。
【０００６】
そこで、案出されたのが本考案であって、マットレスの下面に往復移動するマッサージ部材を設けることにより、使用者をマッサージするマッサージベッドを提供することを目的としている。
【課題を解決するための手段】
【０００７】
従来の問題点を解決するために、本考案の請求項１は、矩形枠体であり、長手方向の枠内面に溝（１２）が形成され、該溝（１２）内に複数のローラー（１３）が設けられるメインフレーム（１０）と、並列に設けられ、前記メインフレーム（１０）における長手方向の長さより短いサイドフレーム（３１）と、前記サイドフレーム（３１）と垂直するように設けられ、前記サイドフレーム（３１）を貫通して前記ローラー（１３）と連結するロッド（３２）と、前記各ロッド（３２）を被包するように設けられるマッサージ用ローラー（３３）と、前記サイドフレーム（３１）の両端の下部に固定され、両側のサイドフレーム（３１）の位置を保持するサイドフレーム保持プレート（３４）とを含むマッサージ部（３０）と、前記メインフレーム（１０）と対応する形状を有し、底面が前記マッサージ用ローラー（３３）の上面を覆うようにマッサージ部（３０）の上面に設置されるマットレス（４０）と、を含んでいることを特徴とするマッサージベッドを提供するものである。
【０００８】
本考案の請求項２は、前記マットレス（４０）の上面に置いて使用するものであり、その内部に、ローラ（３３）の曲率と対応するように湾曲する湾曲シート（５１１）、該湾曲シート（５１１）の上面に設けられた支持ポール（５１２）、該支持ポール（５１２）の上端に設置された円形の押し上げプレート（５１３）、該押し上げプレート（５１３）により押し上げられその上に設けられたマッサージブロック（５１４）などが含まれる複数の枕マッサージ部（５１）と、前記湾曲シート（５１１）と前記押し上げプレート（５１３）との間に、前記支持ポール（５１２）が貫通する貫通孔（５２１）を有する仕切り板（５２）とにより形成されるマッサージ枕（５０）を更に含んでいることを特徴とする請求項１に記載のマッサージベッドを提供するものである。
【０００９】
本考案の請求項３は、前記マッサージ部（３０）が、前記サイドフレーム保持プレート（３４）に設けられるステッピングモーターにより駆動されることを特徴とする請求項１または請求項２に記載のマッサージベッドを提供するものである。
【考案の効果】
【００１０】
本考案は上記の課題を解決するものであり、使用者が本考案のマッサージベッド上に横になった時、マッサージ用ローラーにより、使用者の体を押圧することができ、また、マッサージ部を前後に移動させることにより、使用者をマッサージすることができることから、寝付きがよくなると共に、長期間寝続けることにより、血液循環の渋滞や褥瘡が生じるのを防止することができる。
【考案を実施するための最良の形態】
【００１１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１２】
図１は本考案に係るマッサージベッドの分解斜視図であり、図２は本考案に係るマッサージベッドの斜視図であり、図３は本考案に係るマッサージベッドの局部側面断面図であり、図４は本考案に係るマッサージベッドにおけるマッサージ枕の側面断面図であり、図５は本考案に係るマッサージベッドにおけるマッサージ枕の平面図である。
【００１３】
図１、図２に示すように、本考案に係るマッサージベッドは、メインフレーム（１０）と、マッサージ部（３０）と、マットレス（４０）と、マッサージ枕（５０）とを含んでいる。
【００１４】
前記メインフレーム（１０）は、矩形枠体であり、長手方向の枠内面に溝（１２）が形成され、該溝（１２）内に複数のローラー（１３）が設けられている。
【００１５】
マッサージ部（３０）は、並列に設けられ、前記メインフレーム（１０）における長手方向の長さより短いサイドフレーム（３１）と、前記サイドフレーム（３１）と垂直するように設けられ、前記サイドフレーム（３１）を貫通して前記ローラー（１３）と連結するロッド（３２）と、前記各ロッド（３２）を被包するように設けられるマッサージ用ローラー（３３）と、前記サイドフレーム（３１）の両端の下部に固定され、両側のサイドフレーム（３１）の位置を保持するサイドフレーム保持プレート（３４）とを含んでいる。
【００１６】
図３に示すように、前記ロッド（３２）の外周には、前記サイドフレーム（３１）に置かれる前記マッサージ用ローラー（３３）が被包している。また、前記ロッド（３２）は、前記サイドフレーム（３１）の側壁を貫通して前記ローラー（１３）の一端に固定されている。前記ローラー（１３）の他端は、前記溝（１２）に回転可能に挿設されている。
【００１７】
マットレス（４０）は、前記メインフレーム（１０）と対応する形状を有し、底面が前記マッサージ用ローラー（３３）の上面を覆うようにマッサージ部（３０）の上面に設置される。
【００１８】
図４、図５に示すように、マッサージ枕（５０）は、前記マットレス（４０）の上面に置いて使用するものであり、その内部に、ローラ（３３）の曲率と対応するように湾曲する湾曲シート（５１１）、該湾曲シート（５１１）の上面に設けられた支持ポール（５１２）、該支持ポール（５１２）の上端に設置された円形の押し上げプレート（５１３）、該押し上げプレート（５１３）により押し上げられその上に設けられたマッサージブロック（５１４）などが含まれる複数の枕マッサージ部（５１）と、前記湾曲シート（５１１）と前記押し上げプレート（５１３）との間に、前記支持ポール（５１２）が貫通する貫通孔（５２１）を有する仕切り板（５２）とにより形成されている。
【００１９】
上記の構成によれば、使用者が本考案のマッサージベッド上に横になった時、マッサージ用ローラー（３３）により、使用者の体を押圧することができ、また、マッサージ部（３０）を前後移動させることにより、使用者をマッサージすることができ、さらに、マッサージ用ローラー（３３）の前後移動に伴い、枕マッサージ部（５１）の湾曲シート（５１１）が上下移動することにより、上端にあるマッサージブロック（５１４）で使用者の頭部をマッサージすることができる。
【００２０】
本考案は上記の構成を有するので、使用者をマッサージすることで、疲労の回復や、凝った筋肉の解し及び張り詰めた精神のリラックスに寄与し、寝付かせ易くすることができ、また、使用者が長期間寝ることにより、血液循環の渋滞や褥瘡が生じるのも防止できる。
【図面の簡単な説明】
【００２１】
【図１】本考案に係るマッサージベッドの分解斜視図。
【図２】本考案に係るマッサージベッドの斜視図。
【図３】本考案に係るマッサージベッドの局部側面断面図。
【図４】本考案に係るマッサージベッドにおけるマッサージ枕の側面断面図。
【図５】本考案に係るマッサージベッドにおけるマッサージ枕の平面図。
【符号の説明】
【００２２】
１０        メインフレーム
１２        溝
１３        ローラー
３０        マッサージ部
３１        サイドフレーム
３２        ロッド
３３        マッサージ用ローラー
３４        サイドフレーム保持プレート
４０        マットレス
５０        マッサージ枕
５１        枕マッサージ部
５１１      湾曲シート
５１２      支持ポール
５１３      押し上げプレート
５１４      マッサージブロック
５２        仕切り板
５２１      貫通孔
【図１】
0003146403.tif 000003
【図２】
0003146403.tif 000004
【図３】
0003146403.tif 000005
【図４】
0003146403.tif 000006
【図５】
0003146403.tif 000007